(57)【要約】【課題】一定の刺激ではなく、ランダムに変化する刺激を生物に与えることにより、生物の活性を促しその成長を促進する再生可能エネルギーの利用システムを提供する。【解決手段】再生可能エネルギー２から得られた電気エネルギーを直接的に水中４又は土壌８に供給して生物にランダムな刺激を付与する。再生可能エネルギー２を中小型風力発電、太陽光発電又は小型水力発電とする。さらに水中４又は土壌８に向けて光を照射する。土壌８中にコイル９を埋設し又は水中４にコイルを配置し、該コイル９に再生可能エネルギー２から得られた電気エネルギーを供給する。【選択図】図１
2018057306.tif 000002
【特許請求の範囲】
【請求項１】
再生可能エネルギーから得られた電気エネルギーを直接的に水中又は土壌に供給して生物にランダムな刺激を付与することを特徴とする再生可能エネルギーの利用システム。
【請求項２】
再生可能エネルギーが中小型風力発電、太陽光発電又は小型水力発電である請求項１に記載の再生可能エネルギーの利用システム。
【請求項３】
さらに水中又は土壌に向けて光を照射する請求項１又は２に記載の再生可能エネルギーの利用システム。
【請求項４】
光は緑色系の光である請求項３に記載の再生可能エネルギーの利用システム。
【請求項５】
土壌中にコイルを埋設し又は水中にコイルを配置し、該コイルに再生可能エネルギーから得られた電気エネルギーを供給する請求項１〜４のいずれか１項に記載の再生可能エネルギーの利用システム。
【発明の詳細な説明】
【技術分野】
【０００１】
本発明は、再生可能エネルギーを利用して生物の育成を図る再生可能エネルギーの利用システムに関する。
【背景技術】
【０００２】
従来、電気を利用した、安全で、低コストでの運転が可能な植物成長促進装置が知られている。制御部と、太陽電池と、蓄電池と、植物個体に取付けた電極と、土壌中に配置した電極を備えた植物成長促進装置によって、植物に微弱電流を供給するものである。電源が太陽電池と蓄電池との併用で構成され、実質的に太陽エネルギーだけで、低コストでの運転を可能としたものである（特許文献１）。
また、水槽の両側面に沿って電極を対向して配設し、絶縁変圧器及び電流制限回路を介して商用電源から電極側に交流電力を供給する。これにより、電流密度が一定かつ均一な正弦波電流が電極間の水中に流れ、水中を泳いでいる魚に正弦波電流が負荷され、電気的刺激が与えられるようにしたものもある（特許文献２）。
また、発信器やコイルなどの磁界発生装置を必要としない、費用対効果において有利で実用性に富む水及び生物の活性化を行う方法及び装置として、着磁した磁性砂利を平面又は立体状に、周期的またはランダムに配置した生物活性化装置もある（特許文献３）。
【０００３】
特許文献１のものは、蓄電池、制御部を必要としているため、装置が複雑化する。
特許文献２のものは、電流密度が一定かつ均一な正弦波電流が電極間の水中に流れるもので、規則性のある電流を流すものである。電気的刺激は規則性が有るため、刺激が慢性化することになる。
特許文献３のものは、着磁した磁性砂利を配置したもので、磁性砂利を動かすわけではないので、生物（植物）に対して磁性が常に変化しているものとは言い難い。
【先行技術文献】
【特許文献】
【０００４】
【特許文献１】特開２００４−２４８５２０号公報
【特許文献２】特開２００８−３０６９５６号公報
【特許文献３】特開２０１１−１８２６９２号公報
【発明の概要】
【発明が解決しようとする課題】
【０００５】
そこで、本発明は、一定の刺激ではなく、ランダムに変化する刺激を生物に与えることにより、生物の活性を促しその成長を促進する再生可能エネルギーの利用システムを提供することを目的とする。
【課題を解決するための手段】
【０００６】
上記課題を解決するために、請求項１に係る再生可能エネルギーの利用システムは、再生可能エネルギーから得られた電気エネルギーを直接的に水中又は土壌に供給して生物にランダムな刺激を付与すること、を特徴としている。
請求項２に係る再生可能エネルギーの利用システムは、再生可能エネルギーが中小型風力発電、太陽光発電又は小型水力発電としたものである。
請求項３に係る再生可能エネルギーの利用システムは、さらに水中又は土壌に向けて光を照射するようにしたものである。
請求項４に係る再生可能エネルギーの利用システムは、光を緑色系の光としたものである。
請求項５に係る再生可能エネルギーの利用システムは、土壌中にコイルを埋設し又は水中にコイルを配置し、該コイルに再生可能エネルギーから得られた電気エネルギーを供給するようにしたものである。
【発明の効果】
【０００７】
電気エネルギーを水中に供給することにより、水中の微生物が活性化され、藻や植物性プランクトンの成長が促され、この微生物、藻、植物性プランクトンを捕食する動物性プランクトンの成長が促進され、このプランクトンを捕食する小魚が成長し、さらにこの小魚を捕食する中大型の魚の成長が促進されることになる。また、電気エネルギーが直接的に水中の中大型魚を刺激し、その成長を促進することになる。
電気エネルギーを土壌中に供給することにより、土壌中の微生物が活性化され、土壌中の肥料成分が増して植物の成長が促進されることになる。また、電気エネルギーが直接的に植物を刺激し、植物の成長を促進することにもなる。
この際、再生可能エネルギー（自然エネルギー）から得られた電気エネルギーを直接的に水中又は土壌中に供給するため、与える電気エネルギーは一定ではなく、ランダムな刺激を生物に与えることになる。規則性のある一定のエネルギーを与えたのでは、刺激は一定で刺激に慣れて鈍感となり、刺激が慢性化して最早刺激ではなくなってしまう。これに対し、本発明では常にランダムな刺激を与えることになるので、刺激が慢性化することなく、刺激に慣れて鈍感になることがない。
請求項２に係る発明によれば、再生可能エネルギーが中小型風力発電、太陽光発電又は小型水力発電としたので、立地によりいずれかを選択することができる。
請求項３に係る発明によれば、さらに水中又は土壌に向けて光を照射するようにしたので、生物の生命活性を高めることになる。
請求項４に係る発明によれば、光を緑色系の光としたので、さらに生物の活性が高まり、成長速度が高められる。
請求項５に係る発明によれば、土壌中にコイルを埋設し又は水中にコイルを配置し、該コイルに再生可能エネルギーから得られた電気エネルギーを供給するようにしたので、コイルの周囲に発生する磁界による刺激により、また熱の発生により、周囲の生物の活性が高められ、生物の成長が促進されることになる。
【図面の簡単な説明】
【０００８】
【図１】本発明の第１実施例による再生可能エネルギーの利用システムの概要を示す説明図である。
【図２】本発明の第２実施例による再生可能エネルギーの利用システムの概要を示す説明図である。
【発明を実施するための形態】
【０００９】
以下、本発明の実施例を図面に基づいて具体的に説明する。本発明の第１実施例による再生可能エネルギーの利用システム１は、再生可能エネルギー（自然エネルギー）２から得られた電気エネルギー（電源３）を直接的に水中（水槽）４に供給して生物にランダムな刺激を付与するようにしたものである。
【００１０】
再生可能エネルギー２としては、太陽エネルギーを利用した太陽光発電、風力エネルギーを利用した風力発電（中小型風力発電）、水力エネルギーを利用した小型水力発電が好ましい。このように、中小型風力発電、太陽光発電又は小型水力発電としたので、立地によりいずれかを選択することができる。
これら、中小型風力発電、太陽光発電、小型水力発電の電力としては、１００Ｋｗ程度以下が好ましい。この程度の電力であれば、一施設、一企業の敷地（工場）内でも容易に利用できる。
なお、これら中小型風力発電、太陽光発電又は小型水力発電の発電機を適宜並列又は直列に配列して適宜の電力の範囲で利用することができる。
【００１１】
図１に示したものは、水中（水槽）４に電極５（陽極５ａと陰極５ｂ）を配し、これら電極（５ａ，５ｂ）間に電源３を接続して電気を流すようにしたものである。なお、水中４の魚６が直接電極５に触れないように電極５の周囲を網等で囲うとよい。
さらに、水中４にコイルを配置し、このコイルに電源３を接続してコイルに電流を流すようにしてもよい。コイル周辺に磁場が発生し、磁気エネルギーによる生物の生命活性が高まることになる。
【００１２】
図１においては、１水槽４内に電極を２個一組（５ａ，５ｂ）配したものを示したが、１水槽４内に２個複数組の電極を並列に配するようにしてもよい。又は、１水槽４内に一組の電極（５ａ，５ｂ）を配し、これを複数槽並列に配置するようにしてもよい。
【００１３】
上記の電気エネルギーに加えて水中４に光を照射するようにすることもできる。この光の照射により、水中の生物の活性が高められる。光の照射は、発光ダイオード（ＬＥＤ）７による照射が好ましい。このＬＥＤ７の電源は再生可能エネルギー２から得られた電源３とする。
ここで、ＬＥＤ７としては、緑色系の光が好ましい。緑色系の光とすれば、さらに生物の活性が高まり、例えば、緑色のＬＥＤの光を当てたマコガレイの稚魚が白熱灯の光より早く大きく育つことなど、成長速度が高められることも知られている。
【００１４】
本発明の第２実施例による再生可能エネルギーの利用システム１は、再生可能エネルギー（自然エネルギー）２から得られた電気エネルギー（電源３）を直接的に土壌８中に供給して生物にランダムな刺激を付与するようにしたものである。より具体的には、土壌８中にコイル９を埋設し、このコイル９に再生可能エネルギー２から得られた電気エネルギー（電源３）を直接的に接続し、コイル９に電流を流すようにしたものである。
【００１５】
土壌８中にコイル９を埋設し電気エネルギーを供給することにより、埋設したコイル９の周りに磁界１０が発生し、また熱も発生し、土壌８中の微生物や植物１１の活性が促進されて植物１１の成長が促進されることになる。生物の外側から磁界を印加すると、生物内の細胞中のプロトン（水素イオン）の活性化により生物細胞のエネルギー物質であるアデノシン三リン酸（ＡＴＰ）の生成が盛んになって生理活性を促すことが、磁気プロトニクス原理により知られている（特許文献３、段落０００２）。なお、第１実施例において、水中４にコイルを配置し、電気エネルギーを供給してコイルの周りに磁界を発生させた場合も、同様である。
【００１６】
再生可能エネルギー２として中小型風力発電、太陽光発電又は小型水力発電が好ましいこと、それらの電力として１００Ｋｗ程度以下が好ましいこと、これら中小型風力発電、太陽光発電又は小型水力発電の発電機を適宜並列又は直列に配列して利用ができること等は、上記の第１実施例において述べたと同様である。
また、電気エネルギーに加えて土壌８に向けて光を照射するようにすることもできること、光の照射は発光ダイオード（ＬＥＤ）による照射が好ましいこと等は、第１実施例において述べたと同様である。
【００１７】
上記の第１実施例、第２実施例において、再生可能エネルギー２からの電源３は、直接的に水中４又は土壌８中に供給するようにする。すなわち、途中に制御装置等を設置して電気エネルギーを一定にすることはしない。
再生可能エネルギー（自然エネルギー）２は、常に変化しており一定ではない。従って、電気エネルギーも常に変化しており、これによる刺激も常に変化していることになる。慢性化することなく、常に変化する刺激により、生命活性が高められることになる。
風力発電においては風力は常に変化しており、太陽光発電においては天気の変化や昼夜の変化、水力発電においては天気や降水量の変化による水量の変化が常に起こっており、再生可能エネルギー２は常に変化し一定でない。
【符号の説明】
【００１８】
１  再生可能エネルギーの利用システム
２  再生可能エネルギー（自然エネルギー）
３  電源
４  水中（水槽）
５  電極
５ａ  陽極
５ｂ  陰極
６  魚
７  ＬＥＤ
８  土壌
９  コイル
１０  磁界
１１  植物
【図１】
2018057306.tif 000003
【図２】
2018057306.tif 000004
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
再生可能エネルギーから得られた電気エネルギーを直接的に水中又は土壌に供給して生物にランダムな刺激を付与する再生可能エネルギーの利用システムであって、前記再生可能エネルギーが中小型風力発電、太陽光発電又は小型水力発電であり、さらに水中又は土壌に向けて緑色系のＬＥＤ光を照射するとともに、該ＬＥＤ光の電源は前記再生可能エネルギーから得られた電源であることを特徴とする再生可能エネルギーの利用システム。
【請求項２】
土壌中にコイルを埋設し又は水中にコイルを配置し、該コイルに再生可能エネルギーから得られた電気エネルギーを供給する請求項１に記載の再生可能エネルギーの利用システム。
【手続補正２】
【補正対象書類名】明細書
【補正対象項目名】０００６
【補正方法】変更
【補正の内容】
【０００６】
上記課題を解決するために、請求項１に係る再生可能エネルギーの利用システムは、再生可能エネルギーから得られた電気エネルギーを直接的に水中又は土壌に供給して生物にランダムな刺激を付与する再生可能エネルギーの利用システムであって、前記再生可能エネルギーが中小型風力発電、太陽光発電又は小型水力発電であり、さらに水中又は土壌に向けて緑色系のＬＥＤ光を照射するとともに、該ＬＥＤ光の電源は前記再生可能エネルギーから得られた電源であること、を特徴としている。
請求項２に係る再生可能エネルギーの利用システムは、土壌中にコイルを埋設し又は水中にコイルを配置し、該コイルに再生可能エネルギーから得られた電気エネルギーを供給するようにしたものである。
【手続補正３】
【補正対象書類名】明細書
【補正対象項目名】０００７
【補正方法】変更
【補正の内容】
【０００７】
電気エネルギーを水中に供給することにより、水中の微生物が活性化され、藻や植物性プランクトンの成長が促され、この微生物、藻、植物性プランクトンを捕食する動物性プランクトンの成長が促進され、このプランクトンを捕食する小魚が成長し、さらにこの小魚を捕食する中大型の魚の成長が促進されることになる。また、電気エネルギーが直接的に水中の中大型魚を刺激し、その成長を促進することになる。
電気エネルギーを土壌中に供給することにより、土壌中の微生物が活性化され、土壌中の肥料成分が増して植物の成長が促進されることになる。また、電気エネルギーが直接的に植物を刺激し、植物の成長を促進することにもなる。
この際、再生可能エネルギー（自然エネルギー）から得られた電気エネルギーを直接的に水中又は土壌中に供給するため、与える電気エネルギーは一定ではなく、ランダムな刺激を生物に与えることになる。規則性のある一定のエネルギーを与えたのでは、刺激は一定で刺激に慣れて鈍感となり、刺激が慢性化して最早刺激ではなくなってしまう。これに対し、本発明では常にランダムな刺激を与えることになるので、刺激が慢性化することなく、刺激に慣れて鈍感になることがない。
また、再生可能エネルギーが中小型風力発電、太陽光発電又は小型水力発電としたので、立地によりいずれかを選択することができる。
さらに水中又は土壌に向けて緑色系のＬＥＤ光を照射するとともに、該ＬＥＤ光の電源を再生可能エネルギーから得られた電源としたので、さらに生物の活性が高まり、成長速度が高められる。
請求項２に係る発明によれば、土壌中にコイルを埋設し又は水中にコイルを配置し、該コイルに再生可能エネルギーから得られた電気エネルギーを供給するようにしたので、コイルの周囲に発生する磁界による刺激により、また熱の発生により、周囲の生物の活性が高められ、生物の成長が促進されることになる。